(57)【要約】【課題】分岐部があるワイヤハーネスにコルゲートチューブを簡単に取り付けられるプロテクタを提供する。【解決手段】ワイヤハーネスの幹線側となる横軸部と枝線側となる縦軸部とを備えたＴ字形状の両側挟持部を有し、該両側挟持部の横軸部の一端縁同士を連結し、該両側挟持部でワイヤハーネスのＴ字状分岐部の幹線および枝線を挟むものとし、前記両側挟持部の少なくとも横軸部の外面に凸部または凹部からなるコルゲートチューブ用のガイド部を設け、前記ワイヤハーネスの幹線に外装するコルゲートチューブに設けられたスリットを拡げ、該スリットの分割エッジをそれぞれ前記ガイド部に添わせて移動させて前記コルゲートチューブを前記幹線に外装できるものとしている。  【選択図】図２
2012210043.tif 000002
【特許請求の範囲】
【請求項１】
ワイヤハーネスの幹線側となる横軸部と枝線側となる縦軸部とを備えたＴ字形状の両側挟持部を有し、該両側挟持部の横軸部の一端縁同士を連結し、該両側挟持部でワイヤハーネスのＴ字状分岐部の幹線および枝線を挟むものとし、
前記両側挟持部の少なくとも横軸部の外面に凸部または凹部からなるコルゲートチューブ用のガイド部を設け、前記ワイヤハーネスの幹線に外装するコルゲートチューブに設けられたスリットを拡げ、該スリットの分割エッジをそれぞれ前記ガイド部に添わせて移動させて前記コルゲートチューブを前記幹線に外装できるものとしていることを特徴とするワイヤハーネス分岐部用のプロテクタ。
【請求項２】
前記両側挟持部はそれぞれ断面円弧形状とし、該両側挟持部の横軸部の他端縁同士を当接すると共に縦軸部の端縁同士を当接すると断面円筒形状となるようにし、かつ、該両側挟持部の横軸部の一端縁同士を薄肉ヒンジ部を介して連結し、該薄肉ヒンジ部を開閉してワイヤハーネスの幹線外径に合わせるようにし、
前記両側挟持部でワイヤハーネスのＴ字状分岐部を挟持した状態で前記横軸部の長さ方向の両端と幹線とに粘着テープを巻き付けて固着し、縦軸部の先端と枝線とを粘着テープを巻き付けて固着する構成としている請求項１に記載のワイヤハーネス分岐部用のプロテクタ。
【請求項３】
前記両側挟持部の外面に対称に設ける前記ガイド部は、前記縦軸部の先端側の右側から横軸部の右側部にかけて延在する円弧状の右側のガイドリブと、前記縦軸部の先端側の左側から横軸部の左側部にかけて延在する円弧状の左側のガイドリブからなり、
前記ワイヤハーネスの分岐部を挟む幹線の両側部にそれぞれ外嵌する左右一対のコルゲートチューブをそれぞれ前記両側挟持部の右側のガイドリブと左側のガイドリブに添わせて挿入するものとしている請求項１または請求項２に記載のワイヤハーネス分岐部用のプロテクタ。
【請求項４】
前記両側挟持部の外面に対称にそれぞれ設ける前記ガイド部は、前記横軸部の一端側から中間位置の縦軸部方向に向けて円弧状に傾斜させて設けた１本のガイドリブからなり、  前記ワイヤハーネスの分岐部を挟む幹線の両側部に連続して外嵌する１つの連続コルゲートチューブのスリットを開いて幹線の下方から被せ、該スリットの両端エッジを前記ガイドリブに添わせて移動して幹線の上方にスリットが位置するように被せ、枝線の分岐位置を囲むようにスリットを位置させるものとしている請求項１または請求項２に記載のワイヤハーネス分岐部用のプロテクタ。
【請求項５】
前記両側挟持部の縦軸部に、横軸部との分岐側から先端に向けて延在する円弧状のガイドリブを設け、前記枝線に外嵌するコルゲートチューブのスリットを開き、該スリットの両端エッジを前記ガイドリブに添わせて移動させ、前記枝線にコルゲートチューブを外装できるようにしている請求項１乃至請求項４のいずれか１項に記載のワイヤハーネス分岐部用のプロテクタ。
【請求項６】
請求項１乃至請求項５のいずれか１項に記載のプロテクタとコルゲートチューブとをＴ字状分岐部に外装しているワイヤハーネス分岐部の保護構造。
【請求項７】
請求項１乃至請求項５のいずれか１項に記載の前記プロテクタをワイヤハーネスの分岐部に被せてテープ巻き固着し、
ついで、前記ワイヤハーネスに外装するスリット付きコルゲートチューブのスリットを開いて、前記プロテクタの外面に被せ、
前記スリットの分割エッジを前記プロテクタの外面に設けたガイド部に添わせて移動させて、該コルゲートチューブをワイヤハーネスの幹線に外嵌し、
該コルゲートチューブの端部を前記プロテクタの長さ方向の端部に重ねていることを特徴とするワイヤハーネス分岐部の保護方法。
【発明の詳細な説明】
【技術分野】
【０００１】
本発明はワイヤハーネス分岐部用のプロテクタに関し、特に、コルゲートチューブで外装保護しているワイヤハーネスの幹線から枝線が分岐する部分を保護するプロテクタに関する。
【背景技術】
【０００２】
自動車に配索するワイヤハーネスの電線群を集束保護するために樹脂成形品からなるコルゲートチューブで外装している場合が多い。該コルゲートチューブで外装したワイヤハーネスの幹線から枝線が分岐する場合、コルゲートチューブに丸穴状の開口を分岐位置に設け、該開口よりワイヤハーネスＷ／Ｈの幹線から分岐する枝線を外部に引き出している。
【０００３】
前記ワイヤハーネスの分岐位置で、コルゲートチューブの開口から枝線を引き出した位置に金属製のバリ、エッジ、スポット打点などの外部干渉材が位置し、枝線に損傷を与える恐れがある。よって、本出願人は、特開２００７−２８８９７２号公報で、図８に示すように、ワイヤハーネスの幹線Ｗ／Ｈ−１から枝線Ｗ／Ｈ−２が分岐する位置にＴ形状筒部からなる分岐保護材１１０を取り付け、該分岐保護材１１０に開口１００ａを設けたコルゲートチューブ１００を外装している。コルゲートチューブ１００を外装した後に枝線側にもコルゲートチューブ１２０を被せ、最後に分岐部に粘着テープＴを股掛けして固着している。
【先行技術文献】
【特許文献】
【０００４】
【特許文献１】特開２００７−２８８９７２号公報
【発明の概要】
【発明が解決しようとする課題】
【０００５】
図８に示す特許文献１の分岐保護材１１０をワイヤハーネスの分岐位置に取り付けた後に、コルゲートチューブ１００を外装する場合、まず、コルゲートチューブ１００の分岐位置に予め開口１００ａを設け中間穴抜き加工が必要となるが、作業工数が増加する。また、分岐保護材１１０を取り付けたワイヤハーネスにコルゲートチューブ１００を外装するための専用通し治具が必要となる。さらに、コルゲートチューブ１００の開口１００ａを分岐位置に合わせる作業、位置合わせ後に分岐保護材１１０の分岐部側と枝線Ｗ／Ｈ−２とをコルゲートチューブの開口１００ａから引き出す作業が必要となる。
【０００６】
本発明は前記問題に鑑みてなされたもので、コルゲートチューブで外装するワイヤハーネスの幹線から枝線が分岐する位置で、コルゲートチューブに中間開口が不要で且つ分岐位置を保護すると共にコルゲートチューブとの接続が容易にできるワイヤハーネス分岐部用のプロテクタを提供することを課題としている。
【課題を解決するための手段】
【０００７】
前記課題を解決するため、本発明は、ワイヤハーネスの幹線側となる横軸部と枝線側となる縦軸部とを備えたＴ字形状の両側挟持部を有し、該両側挟持部の横軸部の一端縁同士を連結し、該両側挟持部でワイヤハーネスのＴ字状分岐部の幹線および枝線を挟むものとし、
前記両側挟持部の少なくとも横軸部の外面に凸部または凹部からなるコルゲートチューブ用のガイド部を設け、前記ワイヤハーネスの幹線に外装するコルゲートチューブに設けられたスリットを拡げ、該スリットの分割エッジをそれぞれ前記ガイド部に添わせて移動させて前記コルゲートチューブを前記幹線に外装できるものとしていることを特徴とするワイヤハーネス分岐部用のプロテクタを提供している。
【０００８】
前記両側挟持部はそれぞれ断面円弧形状とし、該両側挟持部の横軸部の他端縁同士を当接すると共に縦軸部の端縁同士を当接すると断面円筒形状となるようにし、かつ、該両側挟持部の横軸部の一端縁同士を薄肉ヒンジ部を介して連結し、該薄肉ヒンジ部を開閉してワイヤハーネスの幹線外径に合わせるようにし、
前記両側挟持部でワイヤハーネスのＴ字状分岐部を挟持した状態で前記横軸部の長さ方向の両端と幹線とに粘着テープを巻き付けて固着し、縦軸部の先端と枝線とを粘着テープを巻き付けて固着する構成としている。
【０００９】
このように、ワイヤハーネスの分岐部の外面に固着したプロテクタに対して、幹線に外装するコルゲートチューブのスリットを開き、プロテクタの両側挟持部の外面に被せた状態で、該コルゲートチューブのスリットの分割エッジをプロテクタの両側挟持部の外面に設けたガイド部に添わせて移動させていくと、コルゲートチューブをプロテクタの外面に通した後にワイヤハーネスの幹線へと外嵌させていくことができる。即ち、プロテクタがコルゲートチューブの通し治具の機能を果たすことになり、専用治具を設けることなく、コルゲートチューブを分岐部を備えた幹線に外装することができ、かつ、分岐部自体もプロテクタで保護することができる。
【００１０】
前記両側挟持部の外面に対称に設ける前記ガイド部は、前記縦軸部の先端側の右側から横軸部の右側部にかけて延在する円弧状の右側のガイドリブと、前記縦軸部の先端側の左側から横軸部の左側部にかけて延在する円弧状の左側のガイドリブからなり、
前記ワイヤハーネスの分岐部を挟む幹線の両側部にそれぞれ外嵌する左右一対のコルゲートチューブをそれぞれ前記両側挟持部の右側のガイドリブと左側のガイドリブに添わせて挿入するものとしている。
【００１１】
前記プロテクタは、ワイヤハーネスの分岐部を挟む幹線の両側を別体としたコルゲートチューブで外装する場合に用いるものとしている。
これら別体としたコルゲートチューブは、ガイドリブの縦軸側先端からスリットの両端エッジを添わせて横軸側へと移動させて、幹線に外嵌するように移動させて取り付けている。これにより、幹線の両側をコルゲートチューブに簡単に通すことができる。かつ、コルゲートチューブの長さ方向の端部をプロテクタの端部に重ねた状態として隙間をあけずに連続させることができる。
【００１２】
あるいは、前記両側挟持部の外面に対称にそれぞれ設ける前記ガイド部は、前記横軸部の一端側から中間位置の縦軸部方向に向けて円弧状に傾斜させて設けた１本のガイドリブからなり、
前記ワイヤハーネスの分岐部を挟む幹線の両側部に連続して外嵌する１つの連続コルゲートチューブのスリットを開いて幹線の下方から被せ、該スリットの両端エッジを前記ガイドリブに添わせて移動して幹線の上方にスリットが位置するように被せ、枝線の分岐位置を囲むようにスリットを位置させるものとしている。
【００１３】
前記プロテクタは、ワイヤハーネスの分岐部を挟む幹線に１つのコルゲートチューブを連続して外嵌するものとしており、このコルゲートチューブには枝線引出用の中間開口を設けていない。コルゲートチューブはスリットを開いて、プロテクタのガイドリブに開いたスリットの両端エッジを添わせて被せていくだけで、幹線をコルゲートチューブに通すことができるものとしている。かつ、コルゲートチューブの長さ方向の端部をプロテクタの端部に重ねた状態として隙間をあけずに連続させることができる。
【００１４】
前記のように、本発明のプロテクタは、その外面に設けたガイド部に添わせてワイヤハーネスの幹線にコルゲートチューブを簡単に取り付けることができるとともに、コルゲートチューブにプロテクタを連続させることができる。なお、凸部からなる前記ガイドリブに変えて、ガイド凹部としてもよい。
また、縦軸部で幹線から分岐する枝線を挟んで外嵌するため、分岐位置で外部干渉材により枝線が損傷を受けるのを防止できる。
プロテクタの縦軸部から引き出される枝線は粘着テープを巻き付けて外装してもよいし、樹脂製の丸チューブにとおしてもよい。
【００１５】
さらに、前記両側挟持部の縦軸部に、横軸部との分岐側から先端に向けて延在する円弧状のガイドリブを設け、前記枝線に外嵌するコルゲートチューブのスリットを開き、該スリットの両端エッジを前記ガイドリブに添わせて移動させ、前記枝線にコルゲートチューブを外装できるようにしてもよい。この場合も、コルゲートチューブの端部をプロテクタの端部に重ねた状態として、枝線側で隙間をあけずに連続させることができる。
【００１６】
第２の発明として、前記プロテクタとコルゲートチューブとをＴ字状分岐部に外装したワイヤハーネス分岐部の保護構造を提供している。
【００１７】
第３の発明として、前記プロテクタをワイヤハーネスの分岐部に被せてテープ巻き固着し、
ついで、前記ワイヤハーネスに外装するスリット付きコルゲートチューブのスリットを開いて、前記プロテクタの外面に被せ、
前記スリットの分割エッジを前記プロテクタの外面に設けたガイド部に添わせて移動させて、該コルゲートチューブをワイヤハーネスの幹線に外嵌し、
該コルゲートチューブの端部を前記プロテクタの長さ方向の端部に重ねていることを特徴とするワイヤハーネス分岐部の保護方法を提供している。
【発明の効果】
【００１８】
本発明のワイヤハーネス分岐部用のプロテクタは、ワイヤハーネスのＴ字分岐部に取り付けると、該分岐部を挟むワイヤハーネスの幹線にコルゲートチューブをスリットを開いて被せ、該スリットの両端エッジをプロテクタの外面に設けたガイド部に沿って移動させていくだけで、コルゲートチューブを簡単に取り付けることができ、かつ、該コルゲートチューブをプロテクタと隙間なく連続させることができる。
かつ、本発明のプロテクタを用いると、コルゲート通し用の専用治具が不要となる。さらに、コルゲートチューブに中間丸穴開け作業が不要になると共に、該丸穴とワイヤハーネスの分岐位置の位置合わせも不要となり、作業性を高めることができる。
【図面の簡単な説明】
【００１９】
【図１】本発明の第１実施形態のプロテクタを示し、（Ａ）は斜視図、（Ｂ）は両側挟持部を接合した状態を示す斜視図、（Ｃ）は正面図である。
【図２】前記プロテクタとコルゲートチューブでワイヤハーネスの分岐部を外装する状態を示す正面図である。
【図３】（Ａ）〜（Ｄ）はワイヤハーネス分岐部に前記プロテクタとコルゲートチューブを取り付ける工程を示す図面である。
【図４】第２実施形態の正面図である。
【図５】第３実施形態の斜視図である。
【図６】（Ａ）（Ｂ）は第３実施形態のプロテクタへのコルゲートチューブの取り付け方法を示す図面である。
【図７】第４実施形態の正面図である。
【図８】従来例を示す図面である。
【発明を実施するための形態】
【００２０】
以下、本発明の実施形態を図面を参照して説明する。
図１乃至図３に第１実施形態を示す。
【００２１】
第１実施形態のプロテクタ１は大略Ｔ字形状とし両側挟持部２、３の横軸部２ａ、３ａを薄肉ヒンジ部４で連結した射出成形品からなる。図２に示すように、前記プロテクタ１で自動車に配索するワイヤハーネス５０のＴ字状の分岐部５１の幹線５２を挟持し、横軸部２ａ、３ａの分離側の中央から突出する縦軸部２ｂ、３ｂで幹線５２から分岐する枝線５３を挟持する形状としている。
【００２２】
ワイヤハーネス５０の分岐部５１を挟む幹線５２の左右両側部５２ａ、５２ｂにそれぞれ第１コルゲートチューブ６０と第２コルゲートチューブ６１を被せ、該第１、第２コルゲートチューブ６０、６１の対向する長さ方向の先端６０ａ、６１ａをプロテクタ１の横軸部２ａ、３ａの端部外周に重ねて粘着テープ７０、７１で巻き付け固着するものとしている。
【００２３】
図１に示すように、プロテクタ１の両側挟持部２、３を薄肉ヒンジ部４を中心線として対称形状としている。両側挟持部２、３は図１に示すように断面円弧形状とし、両側挟持部２、３の横軸部２ａ、３ａの図中上端端縁２ａ−１、３ａ−１を接合し、縦軸部２ｂ、３ｂの図中左右端縁２ｂ−１、３ｂ−１を接合すると、逆Ｔ字形状の円筒形状となるようにしている。これにより、断面略円形のワイヤハーネス５０の幹線５２を横軸部２ａと３ａで囲むと共に第１、第２コルゲートチューブ６０、６１を横軸部２ａと３ａの円形に連続する外周面の両側部に外嵌するものとしている。
【００２４】
プロテクタ１の両側挟持部２、３の外面に、コルゲートチューブ通し治具の機能を果たすガイドリブ１１、１２、１３、１４を一体的に突設している。
一方の挟持部２の外面に前記２本のガイドリブ１１、１２を左右対称に突設し、他方の挟持部３の外面に前記２本のガイドリブ１３、１４を左右対称に突設し、図中左側に位置する左側ガイドリブ１１と１３は表裏対称とし、図中右側に位置する右側ガイドリブ１２と１４は表裏対称に突設している。
【００２５】
左側ガイドリブ１１（１３）は縦軸部２ｂ（３ｂ）の先端側の左側から横軸部２ａ（３ａ）の左側部にかけて延在する円弧状としている。該左側ガイドリブ１１（１３）の横軸部２ａ（３ａ）側の先端は横軸部２ａ（３ａ）の左側先端の薄肉ヒンジ部４に近接する図中下端側に位置させている。
右側ガイドリブ１２（１４）は縦軸部２ｂ（３ｂ）の先端側の右側から横軸部２ａ（３ａ）の右側部にかけて延在する円弧状としている。かつ、左側ガイドリブ１１（１３）と同様に、先端は横軸部２ａ（３ａ）の右側先端の薄肉ヒンジ部４に近接する図中下端側に位置させている。
【００２６】
つぎに、前記プロテクタ１をワイヤハーネス５０の分岐部５１に取り付けて、第１、第２コルゲートチューブ６０、６１を取り付ける工程について説明する。
【００２７】
図３（Ａ）に示すように、プロテクタ１の両側挟持部２、３を薄肉ヒンジ部４を介して開いた状態でワイヤハーネスの分岐部５１の幹線５２側から被せ、幹線５２をプロテクタ１の横軸部２ａ、３ａで囲むように挟む。其の際、薄肉ヒンジ部４で開閉角度を調節することで、横軸部２ａ、３ａを幹線５２の外周面に密着させることができる。また、縦軸部２ｂ、３ｂで枝線５３を囲むように挟む。
その後、図３（Ｂ）に示すように、横軸部２ａ、３ａの長さ方向の両端で幹線５２にそれぞれ粘着テープ７５、７６を巻き付けて固着し、縦軸部２ｂ、３ｂの先端と枝線５３に粘着テープ７７を巻き付けて固着し、ワイヤハーネスの分岐部５１にプロテクタ１を固着する。
【００２８】
次いで、図３（Ｃ）に示すように、第１コルゲートチューブ６０を左側幹線５２ａに被せるため、第１コルゲートチューブ６０のスリット６０ｓを開き、枝線５３の左側部分に跨ぐように被せた状態とする。この状態で、スリット６０ｓの一方の分割エッジ６０ａ−１を一方の挟持部２のガイドリブ１１の縦軸部側先端１１ａに乗せ、スリット６０ｓの他方の分割エッジ６０ａ−２を他方の挟持部３のガイドリブ１３の縦軸部側先端１３ａに乗せる。このように、スリット６０ｓの両端エッジをガイドリブ１１、１３に乗せた状態で、図中矢印で示す挿入方向に、ガイドリブ１１、１３に沿って横軸部２ａ、３ａ側へと第１コルゲートチューブ６０を移動させていく。この操作で第１コルゲートチューブ６０の挿入側先端６０ｅはプロテクタ１から左側幹線５２ａに外嵌するように移動し、左側幹線５２ａの第１コルゲートチューブ６０の通し操作をスムーズに行うことができる。該第１コルゲートチューブ６０の他端６０ｆがプロテクタ１の横軸部２ａ、３ａの左側端に達すると、第１コルゲートチューブ６０の挿入操作を停止し、粘着テープ７０を第１コルゲートチューブ６０とプロテクタ１の重ね合わせた端部に巻き付けて固着する。
【００２９】
次いで、前記第１コルゲートチューブ６０の取り付け方法と同様な操作で、第２コルゲートチューブ６１をガイドリブ１２、１４に添わせて右側幹線５２ｂに外嵌し、その後、図３（Ｄ）に示すように、粘着テープ７１を第２コルゲートチューブ６１とプロテクタ１の重ね合わせた端部に巻き付けて固着する。
【００３０】
プロテクタ１の縦軸部２ｂ、３ｂの先端から引き出す枝線５３を設計仕様に応じて粘着テープによる結束、樹脂製の丸チューブの取り付け等で集束保護している。該枝線５３が幹線５２から分岐する根元部分はプロテクタ１の縦軸部２ｂ、３ｂで覆われているため、外部干渉材が干渉して損傷を受けるのを防止できる。なお、縦軸部２ｂ、３ｂの長さを枝線保護の観点から長くしてもよい。
【００３１】
前記のように、ワイヤハーネス５０の幹線にコルゲートチューブを取り付けている場合、その分岐部５１でコルゲートチューブに中間開口を設ける必要はなく、コルゲートチューブを分岐部５１で分断しておくだけでよい。よって、コルゲートチューブの中間穴開け作業が不要となり、かつ、該中間開口に分岐部を位置合わせする作業が不要になる。さらに、プロテクタ１の外面にコルゲートチューブの挿入ガイド用のガイドリブを突設しているため、別にコルゲートチューブ通し治具を設ける必要は無い。
このように、プロテクタ１をワイヤハーネスの分岐部に取り付けるだけで従来の問題を解消することができる。
【００３２】
図４に第２実施形態のプロテクタ１−Ａを示す。
第２実施形態のプロテクタ１−Ａは、枝線５３に第３コルゲートチューブ６３を外装するもので、分岐部５１を挟んで、幹線５２側に第１、第２コルゲートチューブ６０、６１、枝線５３に第３コルゲートチューブ６３の３本を外装するものである。プロテクタ１−Ａの両側挟持部２、３の縦軸部２ｂ、３ｂに、横軸部２ａ、３ａとの分岐側から縦軸部先端に向けて延在する円弧状のガイドリブ１５、１６を設けている。
他の構成は第１実施形態と同一であるため、同一符号を付して説明を省略する。
【００３３】
前記プロテクタ１−Ａでは、枝線５３に外嵌する第３コルゲートチューブ６３のスリット６３ｓを開き、枝線５３の図中左側面に被せるようにして、スリット６３ｓの一方の分割エッジ６３ｅをガイドリブ１５の下端１５ａに当接させ、他端の分割エッジ６３ｆをガイドリブ１６の下端１６ａに当接させる。この状態で、図中矢印で示す挿入方向へと、ガイドリブ１５、１６に沿わせて第３コルゲートチューブ６３を枝線５３に被せていく。ガイドリブ１５、１６の先端側上端１５ｂ、１６ｂに達すると、第３コルゲートチューブ６３が両側挟持部２、３の縦軸部２ｂ、３ｂを覆う状態となり、第３コルゲートチューブ６３を所要長さ前記操作を連続して行うことで、枝線５３に第３コルゲートチューブ６３を外嵌することができる。
【００３４】
幹線５２の左右両側５２ａ、５２ｂにそれぞれ外嵌する第１、第２コルゲートチューブ６０、６１は第１実施形態と同様にガイドリブ１１と１３、１２と１４に沿って外嵌している。これら幹線５２に第１、第２コルゲートチューブ６０と６１を取り付けた後に前記第３コルゲートチューブ６３を取り付けているが、第３コルゲートチューブ６３を枝線５３に取り付けた後に、第１、第２コルゲートチューブ６０、６１を幹線５２に取り付けてもよい。
【００３５】
図５および図６に第３実施形態のプロテクタ１−Ｂを示す。
該プロテクタ１−Ｂは幹線５２に外装するコルゲートチューブは、分岐部５１で分割せず、１つのスリット付きの連続コルゲートチューブ６５とし、該連続コルゲートチューブ６５には図８に示す従来例の中間部開口１００ａを設けていない。
【００３６】
プロテクタ１−Ｂは両側挟持部２、３の外面に対称に設けるガイド部は、横軸部２ａ、３ａの一端（図中左端）側から中間位置の縦軸部２ｂ、３ｂの方向に向けて円弧状に上向き傾斜させた各１本のガイドリブ１７、１８からなる。即ち、第１実施形態では両側挟持部２、３にそれぞれ左右２本のガイドリブを設けていたが、第３実施形態では左側部から中間部に各１本のガイドリブを設けている。
前記ガイドリブ１７、１８の一端１７ａ、１８ａは横軸部２ａ、３ａの左端の下側に位置させ、他端１７ｂ、１８ｂは縦軸部２ｂ、３ｂの右側端と対応する位置の横軸部２ａ、３ａの中間高さ位置に設定している。
【００３７】
前記プロテクタ１−Ｂは第１実施形態のプロテクタ１と同様な方法でワイヤハーネス５０の分岐部５１に取り付けて横軸部２ａ、３ａの両端および縦軸部２ｂ、３ｂの先端に粘着テープ７５、７６、７７を巻き付けて固着している。
【００３８】
前記１つの連続コルゲートチューブ６５のスリット６５ｓを開き、図６（Ａ）に示すように、幹線５２の左側幹線５２ａの下部に連続コルゲートチューブ６５を被せる。該連続コルゲートチューブ６５の上端に位置させるスリット６５ｓの両端エッジ６５ｅ、６５ｆをガイトリブ１７、１８の一端１７ａ、１８ａの上面に乗せ、其の状態でガイドリブ１７、１８の他端１７ｂ、１８ｂへと移動させていく。この移動に伴って連続コルゲートチューブ６５は幹線５２に下方から被さる状態となり、上端のスリット６５ｓの両端エッジ６５ｅと６５ｆが枝線５３の両側に沿いながら幹線５２の右側５２ｂへと移動し、右側幹線５２ｂの上端でスリットの両端エッジ６５ｅと６５ｆが接合する。
【００３９】
このように、左側幹線５２ａ側からガイドリブ１７、１８に沿って挿入した連続コルゲートチューブ６５が右側幹線５２ｂを外嵌した状態に達した後も、連続コルゲートチューブ６５の挿入を継続し、右側幹線５２ｂ側へ所要長さ挿入する。その後、連続コルゲートチューブ６５を左側幹線５２ａ側へと移動させて、分岐部５１を挟む左側幹線５２ａと右側幹線５２ｂに連続コルゲートチューブ６５を連続して外装する。該連続コルゲートチューブ６５の中間位置では上端に位置させるスリット６５ｓが枝線５３を囲むように開いた状態となり、スリット６５ｓから枝線５３を突出させる。
【００４０】
枝線５３は第１実施形態と同様に粘着テープを巻き付けて集束保護してもよいし、樹脂製の丸チューブで外装してもよい。
【００４１】
このように、第３実施形態では、幹線５２に外装するコルゲートチューブを分岐部５１で分断する必要はなく連続させたままでよく、かつ、枝線引きだし用の中間開口を設ける必要もない。
【００４２】
図７に第４実施形態を示す。
第４実施形態のプロテクタ１−Ｃは第３実施形態のプロテクタに第２実施形態のプロテクタの枝線側にもガイドリブ１５、１６を設けた形状とし、枝線５３に第３コルゲートチューブ６３を取り付けている。
前記第１〜第３実施形態と同様な部分は同一符号を付して説明を省略する。
【００４３】
前記第１〜第４実施形態では、プロテクタの外面に凸状のガイドリブ１１〜１８を設けているが、凸部に変えて凹部からなるガイド溝としてもよい。
また、両側挟持部２、３を可撓性を持たせることにより、下端を円弧部で連続させてワイヤハーネス幹線の外径に添わせることができるようにすれば、下端の薄肉ヒンジ部を省略してもよい。
【符号の説明】
【００４４】
１  プロテクタ
２、３  両側挟持部
２ａ、３ａ  横軸部
２ｂ、３ｂ  縦軸部
１１〜１８  ガイドリブ
６０  第１コルゲートチューブ
６１  第２コルゲートチューブ
６３  第３コルゲートチューブ
６５  連続コルゲートチューブ
６０ｓ、６３ｓ、６５ｓ  スリット
【図１】
2012210043.tif 000003
【図２】
2012210043.tif 000004
【図３】
2012210043.tif 000005
【図４】
2012210043.tif 000006
【図５】
2012210043.tif 000007
【図６】
2012210043.tif 000008
【図７】
2012210043.tif 000009
【図８】
2012210043.tif 000010